(57)【特許請求の範囲】
【請求項１】
感光材料に露光を行って可視像を得る画像記録装置において、
装置本体を基台と上カバーによって構成すると共に前記上カバーをヒンジ部によって前記基台に対し開閉移動可能に連結し、かつ、前記装置本体内に設けられた可動部品を前記上カバーの開閉動作に連動して駆動する連動手段を備え、
前記ヒンジ部は、一端が回動自在に前記基台に支持され他端が回動自在に前記上カバーに連結され前記上カバーを所定角度で２段階の開閉状態とする中間ヒンジ部材を有し、１段階目の開閉状態においては前記中間ヒンジ部材の他端を中心として前記上カバーが開閉移動し、２段階目の開閉状態においては前記中間ヒンジ部材の一端を中心として前記上カバーが前記中間ヒンジ部材と共に開閉移動し、
前記連動手段は、前記２段階目の開閉状態における前記中間ヒンジ部材の一端を中心とした回動に連動して前記可動部品を駆動し、
前記可動部品は、前記中間ヒンジ部材の前記一端回転中心から離間した位置で前記中間ヒンジ部材に回動自在に支持されると共に自身の一端部の変移が阻止された補助ブラケットとされ、かつ、
前記補助ブラケットの他端部に取り付けられ、前記中間ヒンジ部材の前記一端を中心とする前記中間ヒンジ部材の回動に伴って、前記中間ヒンジ部材の回動角度よりも大きい角度で回動するローラを備えた、
ことを特徴とする画像記録装置。
【請求項２】
前記画像記録装置は、前記感光材料に露光を行った後に受像材料とを重ね合わせて熱現像転写を行い受像材料上に可視像を得るものであり、  前記可動部品は、一端部が前記基台に回動可能に支持され前記感光材料と受像材料とを重ね合わせて熱現像転写処理するステージとされ、
前記連動手段は、前記ステージの先端部を上昇降下させる、
ことを特徴とする請求項１記載の画像記録装置。
【請求項３】
前記ステージの他端部に係合して前記ステージを水平状態で保持するステージロック部を備え、
前記連動手段は、前記２段階目の開閉状態における前記中間ヒンジ部材の一端を中心とした回動に連動して前記ステージロック部を駆動し前記保持状態を解除させる、
ことを特徴とする請求項２記載の画像記録装置。
【請求項４】
前記連動手段は、前記ステージロック部を駆動して前記保持状態を解除させた後に前記ステージの他端部を上昇させるようにタイミングが設定された、
ことを特徴とする請求項３記載の画像記録装置。
【請求項５】
前記感光材料をロール状に巻き取って収容する感材マガジンを備えると共に、
前記可動部品は、前記感材マガジンを保持するホルダとされ、
前記連動手段は、前記ホルダを前記感材マガジンの保持解除方向へ駆動する、ことを特徴とする請求項１記載の画像記録装置。
【発明の詳細な説明】
【０００１】
【発明の属する技術分野】
本発明は、感光材料に露光を行って可視像を得る画像記録装置に関する。
【０００２】
【従来の技術】
シート材にカラー画像を得る画像記録装置には、感光材料に原稿の画像を露光し、露光された感光材料を受像材料と重ね合わせて熱現像転写し、受像材料に画像を得るものがある。
【０００３】
このような画像記録装置のうち、装置内に平板の処理ステージを備えたものがある。この種の処理ステージは、露光ステージとされると共に加熱（ヒート）板とされており、感光材料に原稿の画像を露光する際に感光材料を平面で保持するためのものであり、さらに露光後の感光材料を受像材料と重ね合わせた後に密着状態で加熱し熱現像転写するためのものである。また、このような処理ステージを備えた画像記録装置では、処理ステージの下方に感光材料を収納する感材マガジンが配置されている。一方、処理ステージの上方には、感材マガジンから引き出された感光材料に水を塗布する水塗布部や、受材マガジンから受像材料を引き出して供給する給紙部、あるいは供給された受像材料を処理ステージ上で感光材料と密着して重ね合わせる貼合せユニット等が配置されている。貼合せユニットが処理ステージに沿って移動することにより、受像材料が処理ステージ上で感光材料と密着して重ね合わされ、密着状態で加熱されて熱現像転写処理され、受像材料に画像が得られる構成である。
【０００４】
ところで、このような画像記録装置においては、装置内のメンテナンス、例えば水塗布部（水タンク）への水の補充や感材マガジンの交換、あるいは材料の詰まり（所謂、ジャム）処理等の点検整備のために、装置内部を開放できる構造が好適である。
【０００５】
この点、単に装置本体に点検孔や点検扉等を設けたのでは、ある程度のメンテナンスは実施できるものの、装置内の奥まった箇所（例えば、処理ステージの下方に配置された感材マガジン等）は露出状態とすることができず、したがって十分な点検整備は困難である。
【０００６】
またこの場合、装置本体に大型のカバーを設け、このカバーを単に大きく開放する構成としたのでは、単に装置の内部が露出できる（カバーが取り外された状態となる）に過ぎず、装置内の奥まった箇所の点検整備を容易にすることは依然として困難である。
【０００７】
【発明が解決しようとする課題】
本発明は、上記事実を考慮し、簡単な操作で必要な箇所を好適に露出させることができ、点検整備等の作業性が向上する画像記録装置を提供することを目的とする。
【０００８】
【課題を解決するための手段】
請求項１に係る発明の画像読取装置は、感光材料に露光を行って可視像を得る画像記録装置において、装置本体を基台と上カバーによって構成すると共に前記上カバーをヒンジ部によって前記基台に対し開閉移動可能に連結し、かつ、前記装置本体内に設けられた可動部品を前記上カバーの開閉動作に連動して駆動する連動手段を備え、前記ヒンジ部は、一端が回動自在に前記基台に支持され他端が回動自在に前記上カバーに連結され前記上カバーを所定角度で２段階の開閉状態とする中間ヒンジ部材を有し、１段階目の開閉状態においては前記中間ヒンジ部材の他端を中心として前記上カバーが開閉移動し、２段階目の開閉状態においては前記中間ヒンジ部材の一端を中心として前記上カバーが前記中間ヒンジ部材と共に開閉移動し、前記連動手段は、前記２段階目の開閉状態における前記中間ヒンジ部材の一端を中心とした回動に連動して前記可動部品を駆動し、前記可動部品は、前記中間ヒンジ部材の前記一端回転中心から離間した位置で前記中間ヒンジ部材に回動自在に支持されると共に自身の一端部の変移が阻止された補助ブラケットとされ、かつ、前記補助ブラケットの他端部に取り付けられ、前記中間ヒンジ部材の前記一端を中心とする前記中間ヒンジ部材の回動に伴って、前記中間ヒンジ部材の回動角度よりも大きい角度で回動するローラを備えた、ことを特徴としている。
【０００９】
請求項１記載の画像記録装置では、ヒンジ部によって基台に対し連結された上カバーを開放状態にすれば、装置本体内（基台内）上部が露出される。さらに、上カバーが開放されると、この上カバーの開閉動作に伴って連動手段が作動し、装置本体内に設けられた可動部品が駆動される。
【００１０】
したがって、可動部品の移動方向を適切に設定しておけば（例えば、装置本体（基台）内部から大きく突出する方向に設定しておけば）、装置本体（基台）内部が自動的に大きく露出される。これにより、煩雑な作業を伴うことなく、簡単な操作で必要な箇所を好適に露出させることができ、点検整備等の作業性が向上する。
しかも、上カバーは、ヒンジ部の中間ヒンジ部材によって基台に連結支持され、所定角度で２段階の開閉状態にすることができる。ここで、上カバーの１段階目の開閉状態においては、中間ヒンジ部材の他端（すなわち、上カバーとの連結側）を中心として上カバーが開閉移動する。これにより、装置本体内（基台内）上部が露出される。一方、上カバーの２段階目の開閉状態においては、中間ヒンジ部材の一端（すなわち、基台への連結側）を中心として上カバーが中間ヒンジ部材と共に開閉移動する。これにより、装置本体（基台）内部が更に大きく露出される。特にこの２段階目の開放時には、１段階目の開放時における上カバーの回動中心（すなわち、中間ヒンジ部材の他端）とは異なる位置（すなわち、中間ヒンジ部材の一端）を回動中心として上カバーが回動するため、前記各回動中心が離間していることに起因して、上カバーは中間ヒンジ部材自体の回動角度よりも更に大きく回動する。したがって、装置本体（基台）内部が大きく露出される。
さらに、２段階目の開閉状態においては、中間ヒンジ部材の一端を中心とした回動に伴って連動手段が作動し、装置本体内に設けられた可動部品が駆動される。
したがって、各開放状態を適宜使い分ければ、必要な箇所のみを自動的かつ好適に露出させることができ、点検整備等の作業性が向上する。
またさらに、可動部品としての補助ブラケットは中間ヒンジ部材に回動自在に支持されているため、中間ヒンジ部材の回動の際に、すなわち２段階目の開閉状態において中間ヒンジ部材の回動に伴って自動的に回動される。
ここで、補助ブラケットの支持位置は、中間ヒンジ部材の一端回転中心から離間した位置とされており、かつ、補助ブラケットは自身の一端部の変移が阻止されているため、中間ヒンジ部材の回動に伴って補助ブラケットが回動する際には、補助ブラケットの他端部すなわちこれに取り付けられたローラは、中間ヒンジ部材の回動角度よりも大きい角度で回動する。
したがって、閉鎖状態におけるローラに配置位置に対し、上カバー及び中間ヒンジ部材の２段階目の開放状態におけるローラの位置を大きく異ならせる（換言すれば、２段階目の開放状態ではローラを装置内から大きく退避させる）ことができ、点検整備等の作業性が向上する。
【００１９】
請求項２に係る発明の画像記録装置は、請求項１記載の画像記録装置において、前記画像記録装置は、前記感光材料に露光を行った後に受像材料とを重ね合わせて熱現像転写を行い受像材料上に可視像を得るものであり、前記可動部品は、一端部が前記基台に回動可能に支持され前記感光材料と受像材料とを重ね合わせて熱現像転写処理するステージとされ、前記連動手段は、前記ステージの先端部を上昇降下させる、ことを特徴としている。
【００２０】
請求項２記載の画像記録装置では、中間ヒンジ部材の回動の際に、すなわち２段階目の開閉状態において中間ヒンジ部材の回動に伴って連動手段が作動し、ステージの先端部が自動的に上昇降下される。したがって、２段階目の開放状態では、ステージの先端部が持ち上げられて装置内から大きく退避させることができる。
【００２１】
これにより、煩雑な作業を伴うことなく、簡単な操作で装置の奥まった箇所を露出させることができ、点検整備等の作業性が向上する。
【００２２】
請求項３に係る発明の画像記録装置は、請求項２記載の画像記録装置において、前記ステージの他端部に係合して前記ステージを水平状態で保持するステージロック部を備え、前記連動手段は、前記２段階目の開閉状態における前記中間ヒンジ部材の一端を中心とした回動に連動して前記ステージロック部を駆動し前記保持状態を解除させる、ことを特徴としている。
【００２３】
請求項３記載の画像記録装置では、２段階目の開閉状態では、すなわち中間ヒンジ部材の回動の際には、連動手段が作動してステージロック部が駆動され、ステージの保持状態が自動的に解除される。したがって、煩雑な操作を伴うことなく、簡単な操作でステージを持ち上げて装置の奥まった箇所を露出させることができ、点検整備等の作業性が向上する。
【００２４】
請求項４に係る発明の画像記録装置は、請求項３記載の画像記録装置において、前記連動手段は、前記ステージロック部を駆動して前記保持状態を解除させた後に前記ステージの他端部を上昇させるようにタイミングが設定された、ことを特徴としている。
【００２５】
請求項４記載の画像記録装置では、連動手段は、ステージロック部を駆動してステージの保持状態を解除するタイミングと、ステージの他端部を上昇させるタイミングをずらして作動する。したがって、これらの各動作を連続した一連の動作として行うことができる。
【００２６】
請求項５に係る発明の画像記録装置は、請求項１記載の画像記録装置において、前記感光材料をロール状に巻き取って収容する感材マガジンを備えると共に、前記可動部品は、前記感材マガジンを保持するホルダとされ、前記連動手段は、前記ホルダを前記感材マガジンの保持解除方向へ駆動する、ことを特徴としている。
【００２７】
請求項５記載の画像記録装置では、中間ヒンジ部材の回動の際に、すなわち２段階目の開閉状態において中間ヒンジ部材の回動に伴って連動手段が作動し、感材マガジンを保持するホルダが感材マガジン保持解除方向へ自動的に駆動される。したがって、２段階目の開放状態では、そのまま容易に感材マガジンを取り外し交換することができ、点検整備等の作業性が向上する。
【００２８】
【発明の実施の形態】
図１乃至図３には、本発明の実施の形態に係る画像記録装置１０の全体構成が斜視図にて示されており、図４乃至図７には画像記録装置１０の全体構成が側方から視た断面図にて示されている。また、図８には画像記録装置１０の主要部の構成が側方から視た断面図にて示されている。
【００２９】
画像記録装置１０は、基台１２及び上カバー１４によって全体として箱形に形成されている。上カバー１４は、その一端側（図４乃至図８紙面右端側）が、後に詳述するヒンジ部７０によって基台１２に連結支持されており、基台１２に対し開閉移動可能となっている。また、基台１２及び上カバー１４の他端側（ヒンジ部７０と反対側）には、同様に後述するロック部１４６が設けられており、通常は上カバー１４を閉止状態で保持している。
【００３０】
一方、基台１２の内部中央には、ステージ１６が設けられている。ステージ１６は、平板状のヒート（加熱）盤で、その一端部（ヒンジ部７０の側）は支軸１８によって回動可能に支持されている。ステージ１６には、支軸１８と同軸的に持上げギヤ２０が一体的に取り付けられており、持上げギヤ２０を回転させることによりステージ１６を支軸１８周りに回動させる（他端側を持ち上げる）ことができる。また、ステージ１６の他端部には、フリーローラ２２が取り付けられている。このステージ１６は、後に詳述するヒンジ部７０に駆動機構を介して接続されており、ヒンジ部７０の開閉移動に応じて支軸１８周りに回動する。さらに、ステージ１６の他端部に対応する基台１２には、同様に後述するステージロック部１２６が設けられており、通常はステージ１６の他端部を水平状態で保持している。
【００３１】
また、基台１２内には、ステージ１６の一端側（ヒンジ部７０の側）下方に供給マガジン２４が設けられており、この供給マガジン２４には、画像記録材料としての感光材料２６がロール状に巻き取られて収容されている。感光材料２６は、支持体上に感光性ハロゲン化銀、バインダー、色素供与性物質、還元剤を有して構成され、供給マガジン２４からステージ１６上に引き出されてステージ１６上に水平に保持された状態では、感光面が上を向くようにされる。
【００３２】
供給マガジン２４とステージ１６との間には、一対の引き出しローラ２８Ａ、２８Ｂが配置されている。引き出しローラ２８Ａ、２８Ｂはニップローラとされており、供給マガジン２４から感光材料２６を引き出すことができる。なお、この引き出しローラ２８Ａ、２８Ｂのうち上側に位置する引き出しローラ２８Ａは、後述するヒンジ部７０に連動してニップ解除方向へ移動可能である。
【００３３】
また、ステージ１６の下方には、上記供給マガジン２４と近接して巻取マガジン３０が設けられている。巻取マガジン３０には、供給マガジン２４から引き出されてステージ１６を一端から他端（フリーローラ２２）へ掛け渡された感光材料２６が巻き取られている。この感光材料２６は、所定長さ毎にステージ１６上に引き出される。
【００３４】
一方、基台１２の上部には、ステージ１６に対向して露光ユニット３２が設けられている（なお、図４及び図５にのみ示してあり、他の図では図示を省略している）。露光ユニット３２は、光源（図示省略）を備えており、原稿へ照射された照射光が、ステージ１６上に位置する感光材料２６に露光されるようになっている。なお、光源を原稿に沿って移動させながら、原稿の画像を感光材料２６に順次に走査露光するように構成してもよい。
【００３５】
また、画像記録装置１０は、貼合せユニット３４、給紙部３６、及び水塗布部３８を備えている。
【００３６】
貼合せユニット３４は、無端ベルト４０が貼合せローラ４２、及び複数の巻掛けローラ４４に掛け渡されている。この貼合せユニット３４は、待機位置（図４及び図５に示す如く基台１２の左側端部位置）からステージ１６の先端部（図４及び図５の右側端部）へ向けてステージ１６上を順次移動できるようになっており、貼合せユニット３４の前進に伴い、無端ベルト４０がステージ１６上を貼合せユニット３４の前進に対応して走行する（図４及び図５で時計回りに走行する）。
【００３７】
給紙部３６は、待機位置にある貼合せユニット３４の直上（図４及び図５に示す如く基台１２の左側端部）に設けられている。この給紙部３６には受材マガジン４６が装填されており、さらに、受材マガジン４６内には受像材料４８が所定長さに切断されて重ねられてステージ１６と平行に収容されている。受像材料４８の一方の面には媒染剤を有する色素固定材料が塗布されて画像形成面とされており、受像材料４８はこの画像形成面が上を向く状態で受材マガジン４６内に収納されている。
【００３８】
また、給紙部３６には、受材マガジン４６の先端部上方に吸着盤５０が設けられると共に、待機位置にある貼合せユニット３４の貼合せローラ４２に対応して案内部５２が設けられている。
【００３９】
貼合せユニット３４（無端ベルト４０）の走行に伴い、受材マガジン４６内にある受像材料４８は吸着盤５０によって吸着されて取り出され、案内部５２を介して待機位置にある貼合せユニット３４の貼合せローラ４２（無端ベルト４０の外周）へと送り込まれる構成である。さらに、待機位置にある貼合せユニット３４の貼合せローラ４２（無端ベルト４０の外周）へと送り込まれた受像材料４８は、無端ベルト４０と共に移動することで反転し、その引き出し端が感光材料２６と当接し、そして、貼合せユニット３４の移動に伴い、受像材料４８が無端ベルト４０と感光材料２６との間に挟持されるようにして、受像材料４８が感光材料２６と順次重ね合わされる構成である。
【００４０】
一方、水塗布部３８は、タンク５４を備えている。このタンク５４は、長尺な矩形箱状とされ、ステージ１６の幅方向（図４及び図５の紙面手前・奥側方向）に沿って配されると共に、支持アーム５６によって前述した貼合せユニット３４に上下移動可能に支持されている。このため、タンク５４は貼合せユニット３４と共にステージ１６に沿って順次移動するようになっている。タンク５４内には、水等の転写助剤（画像形成用溶媒）が封入される。また、タンク５４の底部にはスポンジ５８が取り付けられている。スポンジ５８は、タンク５４内の水を吸収保持できる。
【００４１】
また、水塗布部３８には、ガイドホイール６０が設けられている。ガイドホイール６０は、基台１２（上カバー１４）に設けられた段差付きのガイドレール６２に対応しており、ガイドレール６２に沿って移動する。このガイドホイール６０がガイドレール６２に沿って移動することにより、タンク５４が上下方向に案内され、タンク５４の昇降に伴いスポンジ５８も昇降する構成である。
【００４２】
なお、タンク５４の上昇位置ではスポンジ５８がステージ１６上の感光材料２６から離間し、タンク５４の降下位置ではステージ１６上の感光材料２６にスポンジ５８が接触するように各部の寸法等が設定されている。スポンジ５８が感光材料２６へ押し付けられて接触した状態では、スポンジ５８は圧縮されてスポンジ５８から水が感光材料２６へ流出し、さらにこの状態で水塗布部３８（スポンジ５８）が前進することにより、感光材料２６に水が順次に塗布される構成である。
【００４３】
さらに、タンク５４の後方側（ガイドホイール６０と反対側）には、スクイズローラ６４が配置されている。スクイズローラ６４は、タンク５４（スポンジ５８）と共に移動し、感光材料２６に塗布された余分な水を除去することができる。
【００４４】
感光材料２６に原稿の画像が露光された後に、上記給紙部３６による受像材料４８の供給、水塗布部３８による感光材料２６への水塗布、及び、貼合せユニット３４による受像材料４８と感光材料２６の貼り合わせがなされ、そして、受像材料４８と感光材料２６とが重ね合わされた状態でステージ１６上で熱現像転写が行われる。すなわち、感光材料２６の可動性の色素が放出され、同時に色素が受像材料４８の色素固定層に転写されて、受像材料４８に画像が得られる構成である。
【００４５】
ここで、前述した上カバー１４を基台１２に開閉移動可能に連結支持するヒンジ部７０及びロック部１４６について詳述する。
【００４６】
図９にはヒンジ部７０の一部破断すると共に透視した斜視図が示されており、図１０にはヒンジ部７０の各構成部品を分解した斜視図が示されている。また、図１１乃至図１３にはこのヒンジ部７０の構成が側方から視た断面図にて示されている。
【００４７】
ヒンジ部７０では、基台１２の一部を構成する基板７２Ｂが基板７２Ａに一体的に固着されており、さらに、基板７２Ｂには中間ヒンジ７４が取り付けられている。中間ヒンジ７４はその一端部が、基板７２Ｂから突出する支軸７６によって回動自在に支持されている。一方、中間ヒンジ７４の他端部には、支軸７８によって前述した上カバー１４が回動自在に支持されている。このように、上カバー１４は、中間ヒンジ７４を介して基台１２（基板７２Ａ及び基板７２Ｂ）に支持された構成である。
【００４８】
中間ヒンジ７４の装置外側面には、補助カバー８０が取り付けられており、基台１２の側面を被覆している。この補助カバー８０は、常に中間ヒンジ７４と一体に回動する。
【００４９】
上カバー１４の角部には、爪部８２が形成されている。爪部８２は、上カバー１４が支軸７８周りに回動した際に、基板７２Ｂに形成された係合孔８４に嵌入可能であり、爪部８２が係合孔８４内に嵌入した状態では、中間ヒンジ７４の支軸７６を中心とする回動が阻止される。すなわち、図１１に示す如く上カバー１４の閉鎖状態では、爪部８２が係合孔８４内に嵌入しており、この爪部８２が係合孔８４内に嵌入し中間ヒンジ７４の支軸７６を中心とする回動が阻止され上カバー１４のみが支軸７８周りに回動できる状態が、１段階目の開閉状態とされている（図１１及び図１２図示状態）。さらに、上カバー１４の開放移動が進行して爪部８２が係合孔８４から抜け出して以後には、中間ヒンジ７４の支軸７６を中心とする回動が可能になり、この状態が２段階目の開閉状態とされている。
【００５０】
また、上カバー１４の開放移動が進行して爪部８２が係合孔８４から抜け出した時点で、上カバー１４の背面先端に設けられたスライド係止部８６が、補助カバー８０の上端部に係合して、上カバー１４のそれ以上の回動が阻止される構成である。
【００５１】
また、上カバー１４には、爪部８２の近傍に、爪部８８が形成されている。爪部８８は、先端が円弧状に形成されており、基板７２Ａに設けられた係合凸部９０に係合可能である。すなわち、爪部８２が係合孔８４内に嵌入し中間ヒンジ７４の支軸７６を中心とする回動が阻止され上カバー１４のみが支軸７８周りに回動できる状態（１段階目の開閉状態）においては、爪部８８は係合凸部９０から離間しており、さらに、上カバー１４が支軸７８周りに回動し爪部８２が係合孔８４から抜け出した後に（すなわち、２段階目の開閉状態となった際には）、爪部８８は係合凸部９０に沿って移動する。これにより、２段階目の開閉状態においては、前述の如く爪部８２が係合孔８４から抜け出し中間ヒンジ７４の支軸７６を中心とする回動が可能になると共に、上カバー１４の支軸７８を中心とする回動が阻止される構成である。したがって、この２段階目の開閉状態においては、上カバー１４は中間ヒンジ７４と一体的に、支軸７６を中心として回動する。
【００５２】
なお、本実施の形態においては、上カバー１４の閉鎖状態から爪部８２が係合孔８４から抜け出すまでの間（すなわち、１段階目の開閉状態）が３０度であり、その後に上カバー１４が中間ヒンジ７４と共に全開となるまでの間（２段階目の開閉状態）が６０度となるように、各部の寸法等が設定されている。
【００５３】
中間ヒンジ７４の中央部（すなわち、中間ヒンジ７４の回転中心としての支軸７６から離間した位置）には、支軸９２によって補助ブラケット９４が回動自在に取り付けられている。補助ブラケット９４は、側面視Ｌ字形に屈曲して形成されており、一端部にはＵ字形の切欠き部９６が形成されている。この切欠き部９６には、基板７２Ｂから突出する固定ピン９８が回動自在に入り込んでおり、これにより補助ブラケット９４は、切欠き部９６の側の端部の変移が阻止されている。
【００５４】
補助ブラケット９４の他端部（切欠き部９６と反対側の端部）には、前述した引き出しローラ２８Ａが取り付けられている。この引き出しローラ２８Ａは、上カバー１４及び中間ヒンジ７４の閉鎖状態においては、前述した如く供給マガジン２４から引き出された感光材料２６を挟持しているが、中間ヒンジ７４の支軸７６を中心とする回動に伴って補助ブラケット９４が回動することにより、一方の引き出しローラ２８Ｂから離間して感光材料２６の挟持を解除する構成である。
【００５５】
さらにこの場合、補助ブラケット９４の支持位置（すなわち、支軸９２）は、中間ヒンジ７４の一端回転中心（支軸７６）から離間した位置とされており、かつ、補助ブラケット９４は自身の一端部（切欠き部９６の側の端部）の変移が阻止されているため、中間ヒンジ７４の回動に伴って補助ブラケット９４が回動する際には、補助ブラケット９４の他端部（すなわち、引き出しローラ２８Ａ）は、中間ヒンジ７４の回動角度よりも大きい角度で回動する。なお、本実施の形態においては、中間ヒンジ７４が６０度回動した時点（すなわち、上カバー１４の全開状態）において、引き出しローラ２８Ａは初期位置から９０度回動するように各部の寸法等が設定されている。
【００５６】
またさらに、中間ヒンジ７４には、連動手段を構成するギヤ１００が取り付けられている。このギヤ１００は支軸７６と同軸的に固定されており、したがって、中間ヒンジ７４の回動に連動する。
【００５７】
ギヤ１００には、基板７２Ａに取り付けられ同様に連動手段を構成する中間ギヤ１０２が噛み合っており、このため、中間ヒンジ７４が回動すると、これに伴って中間ギヤ１０２が回転される。この中間ギヤ１０２は、前述した供給マガジン２４のホルダ１０４に連結されている。図１４に示す如く、中間ギヤ１０２には送り螺子１０６が一体に固定連結されており、さらに、送り螺子１０６には自身の回転が阻止されたホルダ１０４が螺合している。すなわち、中間ギヤ１０２が回転すると、ホルダ１０４が送り螺子１０６に沿って軸線方向に移動する構成である。このホルダ１０４は、円錐台形に形成されており、供給マガジン２４の軸線方向端部に係合してこれを保持することができると共に、軸線方向（中間ギヤ１０２に接近する方向）に移動することで前記保持を解除することができる。これにより、供給マガジン２４のセット及び交換が可能になる構成である。
【００５８】
また、中間ギヤ１０２には、基板７２Ａに取り付けられ連動手段を構成する中間ギヤ１０８が噛み合っており、さらに、中間ギヤ１０８には、同様に連動手段を構成するスライドレバー１１０の第１ラック１１２が噛み合っている。したがって、中間ヒンジ７４が回動すると、これに伴ってスライドレバー１１０が軸線方向にスライドされる構成である。
【００５９】
スライドレバー１１０の第１ラック１１２の近傍には、第２ラック１１４が形成されている。この第２ラック１１４には、基板７２Ａに取り付けられ連動手段を構成する中間ギヤ１１６、１１８が順次噛み合っており、さらに、中間ギヤ１１８は、前述したステージ１６の持上げギヤ２０に噛み合っている。このため、スライドレバー１１０が移動すると、持上げギヤ２０へ駆動力が伝達されて持上げギヤ２０すなわちステージ１６が支軸１８周りに回動し先端部（フリーローラ２２の側）が持ち上げられる構成である。
【００６０】
なお、本実施の形態においては、スライドレバー１１０が全量移動した状態（換言すれば、中間ヒンジ７４が６０度回動した状態）で、すなわち上カバー１４が全開した状態で、ステージ１６が６０度持ち上げられるようにギヤ比や各部の寸法等が設定されている。
【００６１】
また、スライドレバー１１０は、基板７２Ａに沿って配設され、その長手方向中間部には引出しアーム１２０が取り付けられている。図１５に示す如く、引出しアーム１２０の先端部はＵ字形に形成されており、カム１２２に係合可能である。図１６及び図１７にも示す如く、カム１２２は円錐台形に形成されており、前述した巻取マガジン３０を保持するホルダ１２４に連結されている。すなわち、スライドレバー１１０が移動すると、引出しアーム１２０がカム１２２を押圧し、このカム１２２と共にホルダ１２４が軸線方向に移動する構成である。これにより、巻取マガジン３０の交換が可能になる構成である。
【００６２】
基板７２Ａに沿って配設されたスライドレバー１１０の先端は、前述したステージ１６のステージロック部１２６に達している。
【００６３】
ここで、図１８にはステージロック部１２６の詳細が斜視図にて示されている。また、図１９乃至図２２にはステージロック部１２６の詳細が側面図にて示されている。
【００６４】
ステージロック部１２６では、基台１２の一部を構成する基板７２Ａ及び基板７２Ｂが一体的に固着されており、さらに、これらの基板７２Ａ及び基板７２Ｂには、支軸１２８が貫通されている。この支軸１２８には、基板７２Ｂの側にフックレバー１３０が支持されている。フックレバー１３０の上端部には爪１３２が形成されており、ステージ１６の他端部に設けられたロックピン１３４に係合または離脱可能である。フックレバー１３０の爪１３２がロックピン１３４に係合した状態では、ステージ１６が水平状態で保持される。
【００６５】
フックレバー１３０には、支軸１２８に巻装されたリターンスプリング１３６の一端が係止されており、常にフックレバー１３０を爪１３２がロックピン１３４に係合する方向へ付勢している。
【００６６】
また支軸１２８には、基板７２Ａの側に作動レバー１３８が支持されている。作動レバー１３８の上端部には、フックレバー１３０へ向けて腕部１４０が延出されており、フックレバー１３０のロックピン１３４の側の側面を押圧可能である。これにより、作動レバー１３８が支軸１２８周りに回動することで、腕部１４０がフックレバー１３０を押圧し、フックレバー１３０がリターンスプリング１３６の付勢力に抗してロックピン１３４から離間する（ロック解除）方向へ回動される構成である。
【００６７】
作動レバー１３８には、支軸１２８に巻装されたリターンスプリング１４２の一端が係止されており、常に腕部１４０がフックレバー１３０を押圧する方向（したがって、リターンスプリング１３６の付勢方向と反対向き）へ付勢している。
【００６８】
なおこの場合、リターンスプリング１４２の付勢力はリターンスプリング１３６の付勢力よりも弱く設定されている。したがって、通常は作動レバー１３８の腕部１４０はフックレバー１３０に圧接している。
【００６９】
この作動レバー１３８の下端部は、基板７２Ａに沿って配置されたスライドレバー１１０の先端に対応しており、スライドレバー１１０の押圧突起１４４に係合可能である。すなわち、スライドレバー１１０が軸線方向に移動することで、押圧突起１４４が作動レバー１３８を押圧してリターンスプリング１３６の付勢力に抗して支軸１２８周りに回転させることができる構成である。
【００７０】
なお、前記フックレバー１３０がロックピン１３４から離間（ロック解除）した後に持上げギヤ２０へ駆動力が伝達され始め、スライドレバー１１０の押圧突起１４４が作動レバー１３８を押圧し続けている間（フックレバー１３０がロックピン１３４から離間している間）にステージ１６の先端部が持ち上げられ、さらに、ステージ１６が完全に（６０度）持ち上がった後にスライドレバー１１０の押圧突起１４４が作動レバー１３８から外れて作動レバー１３８が自動復帰するタイミングとなるように、各部の寸法等が設定されている。
【００７１】
以上の如き構成によって開閉する上カバー１４は、ロック部１４６によって基台１２に保持されている。ここで、図２３及び図２４にはこのロック部１４６の詳細が斜視図にて示されている。
【００７２】
ロック部１４６では、一対のラッチ板１４８、１５０が設けられている。ラッチ板１４８、１５０は先端部がＹ字形に形成されており、互いのＹ字形部分が対向しかつ直交するようにして、一方のラッチ板１４８が上カバー１４に固定される共に他方のラッチ板１５０が基台１２（基板７２Ａ）に固定されている。これにより、ラッチ板１４８のＹ字形部分とラッチ板１５０のＹ字形部分とが互いに嵌まり合うことで、上カバー１４の基台１２に対する位置決めが行われる構成である。
【００７３】
また、基台１２に固定されたラッチ板１５０の近傍には、ロックレバー１５２が取り付けられている。ロックレバー１５２の上端部にはロック爪１５４が形成されている。このロック爪１５４は、上カバー１４に固定されたラッチ板１４８に設けられたロックピン１５６に対応しており、上カバー１４が閉鎖されラッチ板１４８のＹ字形部分とラッチ板１５０のＹ字形部分とが互いに嵌まり合った状態で、ロック爪１５４がロックピン１５６に係合するようになっている。ロックレバー１５２のロック爪１５４がロックピン１５６に係合した状態では、上カバー１４が閉鎖状態で保持される。
【００７４】
また、ロックレバー１５２の回転軸には開閉ノブ１５８（図３、図５乃至図７を参照）が取り付けられており、この開閉ノブ１５８を操作することでロックレバー１５２を回動させて上カバー１４を開放移動させることができる。
【００７５】
次に、本実施の形態の作用を説明する。
上記構成の画像記録装置１０では、感光材料２６が供給マガジン２４からステージ１６上に所定長さ引き出される。ステージ１６上に位置する感光材料２６には、露光ユニット３２によって原稿の画像が露光される。
【００７６】
次いで、受材マガジン４６内にある受像材料４８が吸着盤５０によって吸着されて取り出され、案内部５２を介して待機位置にある貼合せユニット３４の貼合せローラ４２（無端ベルト４０の外周）へと送り込まれる。さらに、貼合せユニット３４が移動し、送り込まれた受像材料４８が無端ベルト４０と共に移動することで反転し、受像材料４８が無端ベルト４０と感光材料２６との間に挟持されるようにして、受像材料４８が感光材料２６と順次重ね合わされる。
【００７７】
さらにこの際、受像材料４８と感光材料２６の重ね合わせに先立って、貼合せユニット３４と共に移動する水塗布部３８のスポンジ５８によって、感光材料２６に水が順次に塗布されると共に、スクイズローラ６４によって余分な水が感光材料２６から除去される。
【００７８】
これにより、受像材料４８は、水が塗布されたステージ１６上に位置する感光材料２６に、順次貼り合わされる。
【００７９】
ステージ１６上で互いに貼り合わされた受像材料４８と感光材料２６は、重ね合わされた状態でステージ１６によって加熱され、これにより熱現像転写が行われる。すなわち、感光材料２６の可動性の色素が放出され、同時に色素が受像材料４８の色素固定層に転写されて、受像材料４８に画像が得られる。
【００８０】
熱現像転写が行われた後には、貼合せユニット３４が前述とは逆向きに初期位置へと移動する。この貼合せユニット３４の後退により、感光材料２６が所定長さ分だけ引き出されると共に、受像材料４８は、感光材料２６と共にステージ１６の他端からステージ外へ移動されながら、その移動に伴い感光材料２６と剥離されて、排出トレイ１６０内に集積される。
【００８１】
その後は、貼合せユニット３４、水塗布部３８、及び給紙部３６は待機状態となって、次回の処理に備える。
【００８２】
ここで、本実施の形態に係る画像記録装置１０では、上カバー１４を基台１２に対し開放することができる。すなわち、開閉ノブ１５８を操作することでロックレバー１５２を回動させる。これにより、ロックレバー１５２のロック爪１５４が上カバー１４に固定されたラッチ板１４８のロックピン１５６から離脱して、上カバー１４の閉鎖保持状態が解除され、上カバー１４を開放移動させることができる。
【００８３】
またこの場合、ヒンジ部７０の中間ヒンジ７４によって基台１２に対し連結された上カバー１４は、所定角度（３０度及び９０度）で２段階の開閉状態にすることができる。
【００８４】
この場合、上カバー１４の１段階目の開閉状態（閉鎖状態から３０度の開放状態までの間）においては、中間ヒンジ７４の支軸７８（すなわち、上カバー１４との連結側）を中心として上カバー１４が開閉移動する。これにより、図６に示す如く、装置本体内（基台１２内）上部に位置する水塗布部３８等が露出される。したがって、例えばタンク５４内の水の補充等の点検整備作業を容易に実施することができる。
【００８５】
一方、上カバー１４の２段階目の開閉状態（３０度の開放状態から９０度の全開放状態までの間）においては、中間ヒンジ７４の支軸７６（すなわち、基台１２への連結側）を中心として上カバー１４が中間ヒンジ７４と共に開閉移動する。これにより、図１乃至図３、及び図７に示す如く装置本体（基台１２）内部が更に大きく露出される。
【００８６】
特にこの２段階目の開放時には、１段階目の開放時における上カバー１４の回動中心（すなわち、中間ヒンジ７４の支軸７８）とは異なる位置（すなわち、中間ヒンジ７４の支軸７６）を回動中心として上カバー１４が回動するため、前記各回動中心が離間していることに起因して、上カバー１４は中間ヒンジ７４自体の回動角度よりも更に大きく回動する。したがって、装置本体（基台１２）内部が大きく露出される。
【００８７】
またここで、この画像記録装置１０では、中間ヒンジ７４の中央部（すなわち、中間ヒンジ７４の回転中心としての支軸７６から離間した位置）には、支軸９２によって補助ブラケット９４が回動自在に取り付けられているため、中間ヒンジ７４の回動の際に、すなわち２段階目の開閉状態において中間ヒンジ７４の回動に伴って補助ブラケット９４が自動的に回動される。
この場合、補助ブラケット９４の支持位置（すなわち、支軸９２）は、中間ヒンジ７４の一端回転中心（支軸７６）から離間した位置とされており、かつ、補助ブラケット９４は自身の一端部（切欠き部９６の側の端部）の変移が固定ピン９８によって阻止されているため、中間ヒンジ７４の回動に伴って補助ブラケット９４が回動する際には、補助ブラケット９４の他端部（すなわち、引き出しローラ２８Ａ）は、中間ヒンジ７４の回動角度よりも大きい角度で回動する。本実施の形態においては、中間ヒンジ７４が６０度回動した時点で（すなわち、上カバー１４の全開状態）においては、引き出しローラ２８Ａは初期位置から９０度回動する。これにより、図１３に示す如く、引き出しローラ２８Ａが他方の引き出しローラ２８Ｂから離間して感光材料２６の挟持を解除するのみならず、この引き出しローラ２８Ａが基台１２内から大きく退避され、点検整備等の作業性が向上する。
【００８８】
さらにここで、中間ヒンジ７４が回動する際には（すなわち、２段階目の開放時には）、自動的にステージ１６が上昇される。
【００８９】
すなわち、中間ヒンジ７４が回動する際には、これに伴ってスライドレバー１１０が移動される。このスライドレバー１１０の移動により、ステージロック部１２６の作動レバー１３８がスライドレバー１１０の押圧突起１４４に押圧されて、リターンスプリング１３６の付勢力に抗して支軸１２８周りに回転される。これにより、図２０に示す如く、作動レバー１３８の腕部１４０がフックレバー１３０を押圧し、フックレバー１３０がリターンスプリング１３６の付勢力に抗してロックピン１３４から離間する（ロック解除）方向へ回動され、フックレバー１３０の爪１３２がロックピン１３４から離脱してステージ１６の保持が解除される。
【００９０】
さらにこの時点で、スライドレバー１１０の移動力が持上げギヤ２０へ伝達され始め、スライドレバー１１０の押圧突起１４４が作動レバー１３８を押圧し続けている間（フックレバー１３０がロックピン１３４から離間している間）にステージ１６の先端部が持ち上げられる。
【００９１】
さらに、ステージ１６が完全に（６０度）持ち上がった後には、図２１に示す如くスライドレバー１１０の押圧突起１４４が作動レバー１３８から外れて作動レバー１３８及びフックレバー１３０が自動復帰する。
【００９２】
なお、スライドレバー１１０の押圧突起１４４が作動レバー１３８から外れた後にスライドレバー１１０が前述とは逆向きに復帰移動する際には（換言すれば、上カバー１４が閉鎖される際には）、前述とは逆方向から押圧突起１４４が作動レバー１３８を押圧する。これにより、図２２に示す如く、作動レバー１３８のみがリターンスプリング１４２の付勢力に抗して前述とは逆向きにフックレバー１３０から離間する方向へ一旦回転され、再びスライドレバー１１０の押圧突起１４４が作動レバー１３８から外れて完全に元の状態に復帰する。
【００９３】
またさらに、このようにステージ１６の先端部が持ち上げられる際には（中間ヒンジ７４が回動する際には）、これに伴って中間ギヤ１０２が回転されて、図１４に二点鎖線にて示す如く、ホルダ１０４が送り螺子１０６に沿って軸線方向に移動される。これにより、供給マガジン２４の保持が解除される。これと同様に、中間ヒンジ７４が回動しスライドレバー１１０が移動すると、引出しアーム１２０がカム１２２を押圧し、図１７に示す如くこのカム１２２と共にホルダ１２４が軸線方向に移動される。これにより、巻取マガジン３０の保持が解除される。
【００９４】
以上の如く、上カバー１４の２段階目の開放時には、装置本体（基台１２）内部が大きく露出されるのみならず、引き出しローラ２８Ａが上カバー１４と共に移動して基台１２内から大きく退避され、さらに、自動的にステージ１６が上昇されると共に、供給マガジン２４及び巻取マガジン３０の保持が解除される。したがって、供給マガジン２４や巻取マガジン３０の交換等の点検整備作業を容易に実施することができる。
【００９５】
なお、供給マガジン２４及び巻取マガジン３０を一体となし、ステージ１６を跨いで両者を同時に着脱する構成も可能である。
【００９６】
またさらに、画像記録装置１０では、上カバー１４の１段階目の開閉状態においては、爪部８２によって、中間ヒンジ７４の支軸７６（すなわち、基台１２への連結側）を中心とする中間ヒンジ７４の回動が制限されている。これにより、中間ヒンジ７４の支軸７８（すなわち、上カバー１４との連結側）を中心とする上カバー１４の開閉移動のみが可能である。すなわち、上カバー１４が完全に１段階目の開放状態となった後でなければ（閉鎖状態から３０度の開放状態への移動が終了した後でなければ）、中間ヒンジ７４は支軸７６（すなわち、基台１２への連結側）を中心とした回動ができず、中間ヒンジ７４が不要に２段階目の開閉状態へ移行することがない。
【００９７】
一方、上カバー１４が１段階目の開閉状態（３０度の開放状態）とされた後に、上カバー１４及び中間ヒンジ７４が２段階目の開閉状態となった際には、爪部８８と係合凸部９０との係合作用、及び、スライド係止部８６と補助カバー８０との係合作用によって、中間ヒンジ７４の支軸７８（すなわち、上カバー１４との連結側）を中心とする上カバー１４の回動が制限される（図１３図示状態）。これにより、中間ヒンジ７４の支軸７６（すなわち、基台１２への連結側）を中心とする中間ヒンジ７４及び上カバー１４の開閉移動のみが可能である。すなわち、２段階目の開閉状態にある上カバー１４が中間ヒンジ７４と共に完全に１段階目の開閉状態へと移行した後でなければ（２段階目から１段階目への閉鎖移動が終了した後でなければ）、上カバー１４は中間ヒンジ７４の支軸７８（すなわち、上カバー１４との連結側）を中心とした回動ができず、２段階目の開閉状態にある上カバー１４が不要に回動することがない。
【００９８】
このように、上カバー１４が１段階目の開放移動を終了してからでないと中間ヒンジ７４は回動できず、一方、中間ヒンジ７４が２段階目から１段階目への閉鎖移動を終了した後でなければ上カバー１４は回動できない。
【００９９】
したがって、１段階目の開閉状態と２段階目の開閉状態とを、確実に順次規則的に行うことができ、操作性が向上する。
【０１００】
一方、前述の如く開放された上カバー１４を閉鎖する場合には、ロック部１４６においてロックレバー１５２のロック爪１５４がラッチ板１４８のロックピン１５６に係合して、上カバー１４が閉鎖状態で保持される。
【０１０１】
この場合、上カバー１４に固定されたラッチ板１４８のＹ字形部分と、基台１２（基板７２Ａ）に固定されたラッチ板１５０のＹ字形部分とが互いに嵌まり合うことで、上カバー１４の基台１２に対する位置決めが行われる。
【０１０２】
すなわち、図２４に示す如く、ヒンジ部７０（中間ヒンジ７４）によって基台１２に連結支持された上カバー１４は、基台１２に対する装置前後方向（図４乃至図８の紙面左右方向）の位置が、ラッチ板１４８のＹ字形部分の切欠隙間寸法Ａと、これに嵌入するラッチ板１５０のＹ字形部分の板厚寸法ｔによって、一義的に決定される。一方、上カバー１４の基台１２に対する装置高さ方向の位置は、ラッチ板１４８のＹ字形部分の切欠深さ位置Ｂ1 と、これに嵌入するラッチ板１５０のＹ字形部分の切欠深さ位置Ｂ2 によって（換言すれば、ラッチ板１４８のＹ字形部分とラッチ板１５０のＹ字形部分の突き合わせ位置によって）、一義的に決定される。またさらに、上カバー１４の基台１２に対する装置左右方向の位置は、ラッチ板１５０のＹ字形部分の切欠隙間寸法Ｃと、これに嵌入するラッチ板１４８のＹ字形部分の板厚寸法ｔによって、一義的に決定される。
【０１０３】
したがって、上カバー１４に固定されたラッチ板１４８のＹ字形部分と、基台１２に固定されたラッチ板１５０のＹ字形部分とを精度良く製造組付けすれば、上カバー１４を基台１２に対して高精度に位置決めすることができる。
【０１０４】
またこのため、上カバー１４を中間ヒンジ７４によって基台１２に連結支持するこれらの連結部分の剛性を、不要に高くする必要がなくなる。
【０１０５】
以上の如く、本実施の形態に係る画像記録装置１０では、簡単な操作で必要な箇所を好適に露出させることができ、点検整備等の作業性が向上する。
【０１０６】
なお、本実施の形態に係る画像記録装置１０に適用できる感光材料２６としては、像様露光して得られる潜像を水等の画像形成用溶媒の存在のもとに受像材料４８へ熱現像転写して可視像を得る、いわゆる熱現像感光材料が挙げられる。この熱現像感光材料は、基本的には支持体上に感光性ハロゲン化銀、還元剤、バインダー及び色素供与性化合物（還元剤が兼ねる場合もある）を有するものであり、更に必要に応じて有機金属塩酸化剤等を含有させることができる。
【０１０７】
熱現像感光材料は露光に対してネガの画像を与えるものでも、ポジの画像を与えるものでもよい。ポジの画像を与える方式には、ハロゲン化銀乳剤として直接ポジ乳剤（造核剤を用いる方式、光かぶらせ方式の２種がある）を用いる方式、ポジ状に拡散性の色素像を放出する色素供与性化合物を用いる方式のいずれもが採用できる。
【０１０８】
ポジの画像を与える方式の熱現像感光材料としては、例えば、特開平６−１６１０７０号公報、特開平６−２８９５５５号公報等に記載されたものが、また、ネガの画像を与える方式の熱現像感光材料としては、例えば、特開平５−１８１２４６号公報、特開平６−２４２５４６号公報等に記載されたものを用いることができる。
【０１０９】
また、画像形成用溶媒としては、例えば水があり、この水は、いわゆる純水に限らず、広く一般的に使用されている意味での水を含む。また、純水とメタノール、ＤＭＦ、アセトン、ジイソブチルケトン等の低沸点溶媒との混合溶媒でもよい。更に、画像形成促進剤、カブリ防止剤、現像停止剤、親水性熱溶剤等を含有させた溶液でもよい。
【０１１０】
【発明の効果】
以上に説明した如く、本発明に係る画像記録装置は、簡単な操作で必要な箇所を好適に露出させることができ、点検整備等の作業性が向上するという優れた効果を有している。
【図面の簡単な説明】
【図１】本発明の実施の形態に係る画像記録装置の全体構成を示し、上カバーを全開放した状態の斜視図である。
【図２】本発明の実施の形態に係る画像記録装置の全体構成を示し、上カバーを全開放した状態の斜視図である。
【図３】本発明の実施の形態に係る画像記録装置の全体構成を示し、上カバーを全開放した状態の斜視図である。
【図４】本発明の実施の形態に係る画像記録装置の全体構成を示す側方から視た断面図である。
【図５】本発明の実施の形態に係る画像記録装置の全体構成を示す側方から視た断面図である。
【図６】本発明の実施の形態に係る画像記録装置の全体構成を示し、上カバーを１段階開放した状態の側方から視た断面図である。
【図７】本発明の実施の形態に係る画像記録装置の全体構成を示し、上カバーを全開放した状態の側方から視た断面図である。
【図８】本発明の実施の形態に係る画像記録装置のヒンジ部、ステージ、ステージロック部等の対応関係を示す側方から視た断面図である。
【図９】本発明の実施の形態に係る画像記録装置のヒンジ部の一部破断すると共に透視した斜視図である。
【図１０】本発明の実施の形態に係る画像記録装置のヒンジ部の各構成部品を分解して示す斜視図である。
【図１１】本発明の実施の形態に係る画像記録装置のヒンジ部の各構成部品を示し、上カバーの閉鎖状態における側方から視た断面図である。
【図１２】本発明の実施の形態に係る画像記録装置のヒンジ部の各構成部品を示し、上カバーが１段階開放した状態における側方から視た断面図である。
【図１３】本発明の実施の形態に係る画像記録装置のヒンジ部の各構成部品を示し、上カバーが全開放した状態における側方から視た断面図である。
【図１４】本発明の実施の形態に係る画像記録装置の供給マガジンの保持解除機構を示す斜視図である。
【図１５】本発明の実施の形態に係る画像記録装置の供給マガジンの保持解除機構を示す側面図である。
【図１６】本発明の実施の形態に係る画像記録装置の供給マガジンの保持解除機構を示す平面図である。
【図１７】本発明の実施の形態に係る画像記録装置の供給マガジンの保持解除機構を示し、解除状態における平面図である。
【図１８】本発明の実施の形態に係る画像記録装置のステージロック部の構成を示す斜視図である。
【図１９】本発明の実施の形態に係る画像記録装置のステージロック部の構成を示す側面図である。
【図２０】本発明の実施の形態に係る画像記録装置のステージロック部の構成を示す側面図である。
【図２１】本発明の実施の形態に係る画像記録装置のステージロック部の構成を示す側面図である。
【図２２】本発明の実施の形態に係る画像記録装置のステージロック部の構成を示す側面図である。
【図２３】本発明の実施の形態に係る画像記録装置のロック部の構成を示す斜視図である。
【図２４】本発明の実施の形態に係る画像記録装置のロック部のラッチ板の構成を示す斜視図である。
【符号の説明】
１０    画像記録装置
１２    基台
１４    上カバー
１６    ステージ（可動部品）
２０    持上げギヤ（連動手段）
２４    供給マガジン（感材マガジン）
２６    感光材料
３０    巻取マガジン（感材マガジン）
３４    貼合せユニット
３６    給紙部
３８    水塗布部
４０    無端ベルト
４２    貼合せローラ
４６    受材マガジン
４８    受像材料
５４    タンク
７０    ヒンジ部
７４    中間ヒンジ（中間ヒンジ部材）
７６    支軸
７８    支軸
９２    支軸
９４    補助ブラケット（可動部品）
９６    切欠き部
９８    固定ピン
１００  ギヤ（連動手段）
１０２  中間ギヤ（連動手段）
１０４  ホルダ（可動部品）
１０８  中間ギヤ（連動手段）
１１０  スライドレバー（連動手段）
１１２  第１ラック
１１４  第２ラック
１１６  中間ギヤ（連動手段）
１１８  中間ギヤ（連動手段）
１２０  引出しアーム（連動手段）
１２２  カム（連動手段）
１２４  ホルダ（可動部品）
１２６  ステージロック部
１３０  フックレバー
１３８  作動レバー
【図１】
0003693777.tif 000002
【図２】
0003693777.tif 000003
【図３】
0003693777.tif 000004
【図４】
0003693777.tif 000005
【図５】
0003693777.tif 000006
【図６】
0003693777.tif 000007
【図７】
0003693777.tif 000008
【図８】
0003693777.tif 000009
【図９】
0003693777.tif 000010
【図１０】
0003693777.tif 000011
【図１１】
0003693777.tif 000012
【図１２】
0003693777.tif 000013
【図１３】
0003693777.tif 000014
【図１４】
0003693777.tif 000015
【図１５】
0003693777.tif 000016
【図１６】
0003693777.tif 000017
【図１７】
0003693777.tif 000018
【図１８】
0003693777.tif 000019
【図１９】
0003693777.tif 000020
【図２０】
0003693777.tif 000021
【図２１】
0003693777.tif 000022
【図２２】
0003693777.tif 000023
【図２３】
0003693777.tif 000024
【図２４】
0003693777.tif 000025